(57)【特許請求の範囲】
【請求項１】
送風機１によって燃焼空気が送られる風胴２内に多数の空気孔３ａを側壁に設けた有底筒形のポット３を装着し、かつ、ポット３内に連なる燃料パイプ４には燃料ポンプ５を取付け、
かつ、消火操作手段６と感振検出器７の信号で作動する自動消火手段８を設け、
該自動消火手段８が送風機１と燃料ポンプ５を停止してポット３の燃焼を停止する石油燃焼器において、
感振検出器７の信号を検出するデータ検出手段９と、データ検出手段９の出力に応じて振動と転倒を検出する判定手段１０とを設け、該判定手段１０は地震時と転倒時で異なる起動信号を自動消火手段８に出力し、
自動消火手段８は石油燃焼器の転倒時に燃料ポンプ５を停止して送風機１を所定時間高速回転させると共に、送風機１の高速回転中に石油燃焼器を正立して感振検出器７の信号が検出されたときは送風機１を第２の所定時間高速回転させることを特徴とするポット式石油燃焼器の消火制御装置。
【請求項２】
前記ポット３の底面の温度を検出する温度検出手段１１を取付け、石油燃焼器の転倒時は温度検出手段１１によってポット３の温度を検出し、石油燃焼器を正立させて感振検出器７の信号が出力された時に温度検出手段１１が所定温度以上を検出したときは送風機１を第２の所定時間高速回転させることを特徴とする請求項１記載のポット式石油燃焼器の消火制御装置。
【請求項３】
石油燃焼器を正立させた時の感振検出器７の信号で送風機１が高速回転するときは、報知手段１２を作動することを特徴とする請求項１又は請求項２に記載のポット式石油燃焼器の消火制御装置。
【発明の詳細な説明】
【０００１】
【産業上の利用分野】
この発明はポット式石油燃焼器の転倒時の安全性を高める為の消火装置に関する。
【０００２】
【従来の技術】
ポット式石油燃焼器はポット内に供給された燃料が燃焼熱で高温となっているポットの底面で気化し、ポット側壁の空気口から供給される空気によって気化ガスの一部が燃焼し、発生した燃焼ガスと残りの気化ガスはポット上部の燃焼室で完全燃焼するものである。そして、消火操作によって燃料ポンプを停止すると、その後も燃料パイプに残っていた燃料が少しずつポットに供給されるので、消火操作後もしばらくは燃焼を続けるものであった。
【０００３】
この為、地震時や石油燃焼器の転倒時において、ポット内に残り火があることは火災事故になりやすいので消火時間を短くする要求があり、この対策として燃料パイプに送風圧が加えられた空気パイプを接続して、消火操作の時に空気パイプから送られる空気によって燃料パイプ中の燃料をポット内に押し出して、消火時間を短くする提案がある。
【０００４】
即ち、石油燃焼器の転倒時には送風機の送風圧によって押し出される燃料がポット底面の気化部から離れたポット側壁に滴下するので、燃焼のバランスが壊れて燃焼継続できず、ほとんど瞬間的に消火することが確認できた。
【０００５】
しかし、残り燃料をポットに押し出す構造であると、石油燃焼器が正立した状態で行なわれる消火のときは、気化部であるポットの底面に向けて燃料を滴下する構成となるので、押し出された燃料がポットの底面の気化部で燃焼して転倒時に比べて消火時間が長くなってしまうものであった。
【０００６】
この為、通常の消火時にも消火時間を短くする構造として、燃料パイプと空気パイプとの連結部からポットに至る燃料パイプの途中に高所を設けたものがあり、燃焼中は高所を越えて燃料が供給され、空気パイプの油面が送風機の送風圧とバランスして燃料パイプの高所よりも低い油面を形成している。
【０００７】
そして、消火操作によって燃料ポンプと送風機を停止すると、送風圧が低下して空気パイプの油面が上昇し、燃料パイプ内の燃料がサイフォン効果で高所を越えて空気パイプ内に吸引され、ポット内の燃料が速やかに燃焼し尽くしてほとんど瞬間的に消火するものである。
【０００８】
一方、石油燃焼器の転倒時は燃料パイプの高所が横を向いて高所でなくなるので、送風機の送風圧によって燃料がポットへ押し出されるから、通常時と転倒時の両方に対応する消火方法を実現することができる。
【０００９】
【発明が解決しようとする課題】
しかし、石油燃焼器の転倒は方向が定まらないこともあって、転倒した方向によっては燃料ポンプ側に燃料が流れて燃料パイプ内に燃料が残ることがあり、この状態で石油燃焼器を正立させると燃料パイプに残った燃料がポット内に滴下し、このときのポットの温度によっては燃料ポンプから滴下した燃料によって再着火する恐れがあることがわかった。
【００１０】
そして、燃料パイプからポットに滴下した燃料が燃え尽きれば消火するが、送風機が途中で停止するとポットに空気が供給されなくなるので消火までの時間が長くなるうえ、ポット内部が空気不足となって煤を発生したり、ポット内部が高温になるので安全上好ましくない。また、石油燃焼器の運転が停止しているのに炎が残っていると故障によって消火不能になったとユーザーが勘違いして、不安感を与えてしまうものであった。
【００１１】
【課題を解決するための手段】
この発明は上記の課題を解決するもので、送風機１によって燃焼空気が送られる風胴２内に多数の空気孔３ａを側壁に設けた有底筒形のポット３を装着し、かつ、ポット３内に連なる燃料パイプ４には燃料ポンプ５を取付け、かつ、消火操作手段６と感振検出器７の信号で作動する自動消火手段８を設け、該自動消火手段８が送風機１と燃料ポンプ５を停止してポット３の燃焼を停止する石油燃焼器において、感振検出器７の信号を検出するデータ検出手段９と、データ検出手段９の出力に応じて振動と転倒を検出する判定手段１０とを設け、該判定手段１０は地震時と転倒時で異なる起動信号を自動消火手段８に出力し、自動消火手段８は石油燃焼器の転倒時に燃料ポンプ５を停止して送風機１を所定時間高速回転させると共に、送風機１の高速回転中に石油燃焼器を正立して感振検出器７の信号が検出されたときは送風機１を第２の所定時間高速回転させるものである。
【００１２】
また、前記ポット３の底面の温度を検出する温度検出手段１１を取付け、石油燃焼器の転倒時は温度検出手段１１によってポット３の温度を検出し、石油燃焼器を正立させて感振検出器７の信号が出力された時に温度検出手段１１が所定温度以上を検出したときは送風機１を第２の所定時間高速回転させることにより、送風機１の停止後にポット３の温度が低下していないことがあっても確実に着火を防ぐことができるので、安全性を高めることができた。
【００１３】
また、石油燃焼器を正立させた時の感振検出器７の信号で送風機１が高速回転するときは、報知手段１２を作動するから、ユーザーに消火動作中であることを知らせることができる。
【００１４】
【作用】
石油燃焼器の転倒時において、転倒の方向によっては燃料パイプ４に燃料が残ることがあり、ポット３がまだ高温であるときに石油燃焼器を正立させると、燃料パイプ４の燃料がポット３の気化部に滴下した時に再着火することがある。
【００１５】
この発明では、感振検出器７の信号をデータ検出手段９で検出し、データ検出手段９の信号に応じて判定手段１０が地震時の起動信号と転倒時の起動信号を自動消火手段８に出力するものである。
【００１６】
判定手段１０から転倒時の起動信号が出力されたときは、自動消火手段８は燃料ポンプ５を停止すると共に、送風機１を高速回転させるので、燃料パイプ４内の燃料がポット３の気化部から離れた側壁部に滴下して燃焼のバランスが壊れて消火し、消火後も送風機１によって低温度の室内空気をポット３に強制送風してポット３を冷却している。
【００１７】
そして、送風機１の高速回転中に石油燃焼器を正立させて感振検出器７のＯＮ信号が検出されたときは、自動消火手段８が送風機１を第２の所定時間高速回転させるから、低温度の室内空気がポット３に強制送風されて燃料への再着火を防ぎ、ポット３を燃料が着火しない温度まで冷却するものである。
【００１８】
【実施例】
図に示す実施例によってこの発明を説明すると、２は燃焼用の空気が供給される風胴、３は風胴２内に配置した有底筒形のポット、１はポット３に燃焼空気を供給する送風機、３ａは風胴２から燃焼空気が供給できるようにポット３の側壁に開けた多数の空気孔である。
【００１９】
１３はポット３に供給する燃料を一時的に貯える油タンク、４は油タンク１３からポット３に燃料を供給する燃料パイプ、５は燃料パイプ４の途中に取付けた電磁ポンプで構成した燃料ポンプ、１４はポット３の側壁からポット３の底面と間隔を介して取り付けた加熱ヒータ、１５はポット３の上部に連続して配置した燃焼室である。
【００２０】
石油燃焼器の運転を開始すると、加熱ヒータ１４によってポット３が加熱され、ポット３が燃焼に適した温度になると燃料ポンプ５と送風機１が作動してポット３に燃料と空気が供給され、高温のポット３に送られた燃料が加熱ヒータ１４の熱によって着火して燃焼する。
【００２１】
燃焼中は燃料パイプ４から滴下する燃料が燃焼熱で高温となったポット３の底面で気化し、ポット３の側壁の空気孔３ａから供給される空気によって気化ガスの一部が燃焼し、発生した燃焼ガスと残りの気化ガスはポット３の上部の燃焼室１５で完全燃焼する。
【００２２】
６は石油燃焼器の消火操作を行なう消火操作手段、７は石油燃焼器の置台に取付けた感振検出器、８は消火操作手段６の操作信号もしくは前記感振検出器７の信号を受けて燃焼中のポット３を消火する為の自動消火手段である。
【００２３】
消火操作手段６が操作されると、自動消火手段８が燃料ポンプ５の運転を停止すると共に、送風機１の送風量を低下してポット３に残っている燃料と消火操作後に供給される燃料を燃焼して自然消火するものであるが、消火操作後も燃料パイプに残っていた燃料が少しずつポット３に供給される為に消火時間が長くなる欠点があり、短時間で消火できる工夫が必要となる。
【００２４】
１６は送風機１の吐出し側と燃料パイプ４の途中とを接続する空気パイプであり、燃料パイプ４と空気パイプ１６との結合部からポット３に至る燃料パイプ４の途中と、送風機１から燃料パイプ４に至る空気パイプ１６の途中にはそれぞれ高所を設け、空気パイプ１６の高所は燃料パイプ４の高所よりも高く配置してある。
【００２５】
燃料パイプ４内の燃料は空気パイプ１６内にも侵入するが、石油燃焼器の停止中は大気圧とバランスして燃料パイプ４の高所と同じ高さの油面を形成し、一方燃焼中は燃料ポンプ５の吐出圧と送風機１の送風圧とがバランスして燃料パイプ４の高所よりも低い油面を形成している。
【００２６】
そして、消火操作手段６が操作されて自動消火手段８によって燃料ポンプ５が停止し送風機１の送風量が低下すると、送風圧の低下によって空気パイプ１５内の油面が燃料パイプ４の高所と同じ高さまで上昇しようとする力が働き、燃料パイプ４の先端の燃料がサイフォン効果で高所を越えて空気パイプ１６内に吸引される。この為、燃料パイプ４の先端に燃料が残ることがなくポット３への燃料供給が遮断されるから、ポット３内の燃料が速やかに燃焼し尽くして短時間で消火することができる。
【００２７】
また、地震等によって石油燃焼器が強い振動を受けたときは、感振検出器７の信号によって自動消火手段８が作動し、燃料ポンプ５が停止すると共に、送風機１の送風圧が低下して燃料パイプ４の先端の燃料がサイフォン効果で高所を越えて空気パイプ１６内に吸引されるので、ポット３への燃料供給が遮断されてポット３内の燃料が速やかに燃焼し尽くしてほとんど瞬間的に消火することができる。
【００２８】
一方、石油燃焼器が転倒したときは、燃料パイプ４の高所は横を向いて高所ではなくなるので、送風機１の送風圧が勝って燃料パイプ４の燃料がポット３の側壁部へ押し出され、ポット３の底面の気化部から離れたポット３の側壁に滴下するから、ポット３内の燃焼のバランスが壊れて燃焼を継続できなくなり、ほとんど瞬間的に消火することができる。
【００２９】
上記の構造であれば通常時と転倒時の両方に有効な消火方法として効果があるものの、石油燃焼器の転倒は方向が定まらないこともあって、転倒した方向によっては燃料ポンプ５側に燃料が流れて燃料パイプ４や空気パイプ１６内に燃料が残ることがあり、石油燃焼器を正立させた時に燃料パイプ４に残った燃料がポット３内に滴下することがある。
【００３０】
もしポット３の温度が十分低下していないときに石油燃焼器を正立させると、燃料パイプ４から滴下する燃料によってポット３の気化部で再着火する恐れがあった。このとき燃料パイプ４から滴下した燃料が燃え尽きれば消火するが、送風機１が途中で停止すると空気が供給されなくなるので消火までの時間が長くなり、また、ポット３の内部が空気不足となって煤が発生したり、ポット３が高温となるので、ユーザーに不安感を与えてしまうものであった。
【００３１】
この発明は上記の課題を解決するもので、９は感振検出器７のＯＮ−ＯＦＦ信号を検出するデータ検出手段、１０はデータ検出手段９の出力に応じて地震と転倒とを検出する判定手段であり、判定手段１０は感振検出器７のＯＮ−ＯＦＦが繰り返されるときは振動を検出し、感振検出器７のＯＦＦ信号が２秒以上継続したときには転倒を検出するものである。
【００３２】
判定手段１０から転倒時の起動信号が出力されると、自動消火手段８は燃料ポンプ５を停止すると共に、送風機１を所定時間高速回転させ、送風機１の送風圧によって燃料パイプ４の燃料がポット３の底面の気化部から離れたポット３の側壁部へ滴下し、ポット３内の燃焼のバランスが壊れて燃焼を継続できなくなり、ほとんど瞬間的に消火する。そしてポット３内の燃焼が停止後も送風機１が高速回転しているのでポット３を冷却することができる。
【００３３】
そして、送風機１の高速回転中に石油燃焼器を正立させて感振検出器７のＯＮ信号が検出されると、自動消火手段８が送風機１を第２の所定時間高速回転させるので、ポット３内に室内の低温度の空気が強制送風され、燃料パイプ４内に燃料が残っていてポット３内に滴下しても、ポット３の気化部に吹き付ける空気によって燃料への着火を防ぎながらポット３を燃料が着火しない温度になるまで冷却することができるものとなった。
【００３４】
また、もしポット３に滴下した燃料に再着火しても、送風機１によってポット３に空気が送られているから、煤の発生とポット３の温度上昇を抑えると共に、ポット３内部の燃焼が促進されて燃料が速やかに燃焼し尽くすから、短時間で消火することができる。
【００３５】
また、転倒による消火動作の途中で石油燃焼器を正立させた時は、ポット３の温度が低下していないので送風機１を作動させるが、送風機１が停止した後はポット３の温度が十分低下しているので、自動消火手段８の消火動作を停止し、感振検出器７のＯＮ信号が検出されたときに送風機１を作動しなくても再着火の恐れはないものである。
【００３６】
また、石油燃焼器を正立させる前に送風機１が停止しても、ポット３の温度が低下していないことがあると再着火する恐れがある。この発明の実施例において、１１はポット３の底面に取付けた温度検出器であり、石油燃焼器の転倒時にポット３の温度を検出しており、感振検出器７のＯＮ信号が検出された時に温度検出手段１１が所定温度以上を検出しているときは送風機１が第２の所定時間高速回転するので、確実に着火を防ぐことができる。
【００３７】
一方、感振検出器７のＯＮ信号が検出される前に温度検出手段１１が所定温度以下を検出した時は、ポット３の温度が十分低下して再着火する恐れはないので、石油燃焼器を正立させて感振検出器７のＯＮ信号が検出されても送風機１を作動する必要がないから、自動消火手段８の消火動作を停止することができる。
【００３８】
また、送風機１が停止した後で、石油燃焼器を正立させた時に送風機１が作動すると、ユーザーが故障と勘違いする恐れがあり、このとき慌てて電源を抜いてしまうことがあると狙った消火動作ができなくなる。１２は石油燃焼器に設けた報知手段であり、該報知手段１２は石油燃焼器を正立して送風機１が高速回転するときに作動し、ユーザーに消火動作中であることを知らせるから、石油燃焼器を正立させた時に送風機１が作動してもユーザーが故障と勘違いすることはなく、安心して使用できるものとなった。
【００３９】
【発明の効果】
以上のようにこの発明では、石油燃焼器の転倒時に判定手段１０が転倒時の起動信号を出力したとき、自動消火手段８は燃料ポンプ５を停止すると共に、送風機１を高速回転させてポット３内の燃焼を停止後、送風機１の強制送風によってポット３が冷却されるから、短時間でポット３の温度を低下することができる。
【００４０】
そして、送風機１の高速回転中に石油燃焼器を正立させて感振検出器７のＯＮ信号が検出されると送風機１を第２の所定時間高速回転させるので、石油燃焼器の転倒の方向によって燃料パイプ４内に燃料が残ってしまい、石油燃焼器を正立させた時にこの燃料がポット３に滴下することがあっても、送風機１が高速回転することよってポット３内へ強制送風されて燃料への着火を防ぎ、ポット３を燃料が着火できない温度まで冷却するから、転倒時に確実に消火して安全性を高めることができるものとなった。
【００４１】
また、ポット３の底面に温度検出手段１１を取付けて、転倒時のポット３の温度を検出し、感振検出器７のＯＮ信号が検出された時に温度検出手段１１が所定温度以上を検出していれば送風機１を第２の所定時間高速回転させるから、送風機１が停止した後でポット３の温度が低下していないことがあっても確実に着火を防ぐことができ、安全性を高めることができたものである。
【００４２】
また、石油燃焼器を正立させて送風機１が高速回転するときは、報知手段１２を作動させてユーザーに消火動作を行なっていることを知らせるようにしたので、ユーザーが故障と勘違いすることはなく、確実な消火動作を可能にして安心して使用できるものとなった。
【図面の簡単な説明】
【図１】この発明の実施例を示すポット式石油燃焼器のブロック図である。
【図２】この発明の実施例を示すポット式石油燃焼器の要部断面図である。
【符号の説明】
１    送風機
２    風胴
３    ポット
３ａ  空気孔
４    燃料パイプ
５    燃料ポンプ
６    消火操作手段
７    感振検出器
８    自動消火手段
９    データ検出手段
１０    判定手段
１１    温度検出手段
１２    報知手段
【図１】
0004026341.tif 000002
【図２】
0004026341.tif 000003